(57)【要約】【課題】撮影済みの画像と、モニタリング中の被写体像とを容易に比較することが可能な撮像装置を提供する。【解決手段】撮像装置１００を、筐体１、撮影レンズ２、電源ボタン３、シャッタボタン４、モード切替ダイアル５、ストロボ６、表示部７、再生ボタン８、メニュー／ＯＫボタン９、方向指示用ボタン１０、ＡＤＪ．ボタン１１、ＤＩＳＰ．ボタン１２、制御手段としてのＣＰＵ２８などを設けて構成する。ＣＰＵ２８は、選択手段としてＳＤカード等に記録された画像データをテンプレート画像として選択する機能、表示手段として、テンプレート画像とモニタリング画像とを表示部７に表示する機能、すかし撮影手段としてすかし撮影を行う機能などを備える。【選択図】図１
2016046676.tif 000002
【特許請求の範囲】
【請求項１】
撮像手段により撮影した被写体像を画像データとして記録媒体に記録する撮像装置であって、
画像データを表示部に表示する表示手段と、
前記記録媒体から所定の画像データを選択する選択手段と、を備え、
前記表示手段は、前記選択手段が選択した前記画像データに対応した画像およびモニタリング中の被写体像を重ね合わせて前記表示部に表示することを特徴とする撮像装置。
【請求項２】
前記表示手段は、前記記録媒体から選択した前記画像データの透明度を変更して前記表示部に表示することを特徴とする請求項１に記載の撮像装置。
【請求項３】
前記透明度を指定する指定手段を、さらに備えたことを特徴とする請求項１又は２に記載の撮像装置。
【請求項４】
前記選択手段により選択した前記画像データの表示を取消す取消し手段を、さらに備えたことを特徴とする請求項１〜３のいずれか一項に記載の撮像装置。
【請求項５】
前記選択手段は、直前に撮影された画像データを選択することを特徴とする請求項１〜４のいずれか一項に記載の撮像装置。
【請求項６】
請求項１〜５のいずれか一項に記載の撮像装置を用いた撮像方法であって、
選択手段が、画像データが記録された記録媒体から所定の画像データを選択するステップと、
表示手段が、前記画像データおよび前記被写体像を重ね合わせて、表示部に表示するステップと、を有することを特徴とする撮像方法。
【発明の詳細な説明】
【技術分野】
【０００１】
本発明は、デジタルスチルカメラ、デジタルビデオカメラ等の撮像装置および撮像方法に関する。
【背景技術】
【０００２】
デジタルスチルカメラなどの撮像装置を用いて、建築中の建物の進捗状況や風景の季節的な変化など、時間とともに変化する被写体を時系列に撮影して比較することがある。この場合、同じアングルや距離で撮影した画像を時系列に比較するのが好ましいが、撮像装置を厳密に同じ位置に配置するのは容易ではなく、また、アングルの決定に撮影者の感覚に頼るところがあるため、毎回、同じアングルや距離で撮影するのは容易ではなかった。
【０００３】
特許文献１には、予め仮撮影を行い、仮撮影した画像と、モニタリングされた被写体像とを重ね合わせて表示部に表示し、画像撮影のアングルを決める際に利用する撮像装置が開示されている。このような撮像装置では、記念写真を撮影するにあたり、仮撮影を行って予め構図を決めた後、第３者に本撮影を依頼する際に、仮撮影と同じようなアングルで写真を撮影してもらうよう依頼することができる。これにより、特許文献１では、第３者の撮影技術や間隔に関係なく、依頼者の意図に合致した本撮影を可能とすることを目的にしている。
【０００４】
しかしながら、特許文献１に開示された発明では、アングル等の決定に撮影の直前に仮撮影した画像を利用するものであり、過去に撮影した画像データを今回の撮影に利用するものではない。また、仮撮影された画像は、本撮影後には上書きされて消されてしまうため、同じ仮撮影画像を用いて、何度も撮影できるものでもない。そのため、時間を置いて、既に撮影した画像と今から撮影する被写体像とを比較したり、時間とともに変化する被写体を過去の画像と同じアングル等で撮影したりするものではない。
【発明の概要】
【発明が解決しようとする課題】
【０００５】
本発明は、上記の事情に鑑みて為されたもので、撮影済みの画像と、モニタリング中の被写体像とを容易に比較することが可能な撮像装置を提供することを目的とする。
【課題を解決するための手段】
【０００６】
上記の目的を達成するため、本願に係る撮像装置は、撮像手段により撮影した被写体像を画像データとして記録媒体に記録する撮像装置であって、画像データを表示部に表示する表示手段と、記録媒体から所定の画像データを選択する選択手段と、を備え、表示手段は、選択手段が選択した画像データに対応した画像およびモニタリング中の被写体像を重ね合わせて表示部に表示することを特徴とする。
【発明の効果】
【０００７】
本発明によれば、撮影済みの画像と、モニタリング中の被写体像とを容易に比較することが可能となる。
【図面の簡単な説明】
【０００８】
【図１】本発明に係る実施例１の撮像装置の概略を表す斜視図であり、（ａ）は被写体側から見た斜視図を示し、（ｂ）はその反対側から見た斜視図を示す。
【図２】実施例１の撮像装置の構成を示すブロック図である。
【図３】実施例１の撮像装置におけるＤＳＰの構成を示すブロック図である。
【図４】実施例１の撮像装置における「テンプレート画像選択処理」のフローチャートを示す。
【図５Ａ】実施例１の撮像装置において、「撮影済み画像」が選択されている場合の「すかし撮影処理」のフローチャートを示す。
【図５Ｂ】実施例１の撮像装置において、「撮影画像」が選択されている場合の「すかし撮影処理」のフローチャートを示す。
【図６】実施例１の撮像装置において、「テンプレート画像選択処理」時の操作の流れと画面の流れとを示す概略図（遷移図）である。
【図７】実施例１の撮像装置において、「すかし撮影」時の操作の流れと画面の流れとを示す概略図（遷移図）である。
【図８】本発明の実施例２に係る撮像装置における「透明度設定処理」のフローチャートを示す。
【図９】実施例２の撮像装置において、「透明度設定処理」時の操作の流れと画面の流れとを示す概略図（遷移図）である。
【図１０】本発明の実施例３に係る撮像装置における「すかし撮影処理」のフローチャートを示す。
【発明を実施するための形態】
【０００９】
以下に、本発明に係る撮像装置および撮像方法の実施例について、図面を参照しながら説明する。
【実施例１】
【００１０】
本発明の実施例１に係る撮像装置の構成を、図１および図２を用いて説明する。図１（ａ）の正面側からの斜視図、図１（ｂ）の背面側からの斜視図に示すように、本発明の実施例１に係る撮像装置１００は、筐体１の前面（被写体側）側に撮影レンズ２が設けられ、その上面に、電源のＯＮ・ＯＦＦの操作を行う電源ボタン３、被写体の撮影動作を実行するシャッタボタン４、撮影モードを切替えるモード切替ダイアル５、ストロボ６などが設けられている。
【００１１】
モード切替ダイアル５は、中心軸を回転軸として回転させることで、各種の撮影モード（各種の静止画モード、動画モード、シーンモード等）を切替える機能を有している。モード切替ダイアル５の表面には、円周方向に、それぞれの撮影モードに対応したモード記号５ａが表示され（図７参照）、ユーザは、モード切替ダイアル５を回転操作して、モード記号５ａを目印に合わせることで、所望の撮影モードに切替えることができる。
【００１２】
撮影モードの一つであるシーンモードとして、人物を撮像するためのポートレートモードや夜景を撮像するためのモードなどが提供されている。本発明に係る実施例１の撮像装置１００では、さらに、撮影済みの画像（以下、「テンプレート画像」と呼ぶ）と撮影前のモニタリング中の被写体像（以下、「モニタリング画像」と呼ぶ）とを重ね合わせて表示し、これらを比較しながら撮影できるモードが提供されている。この撮影モードでは、テンプレート画像を透過して、モニタリング画像を視認できるように、テンプレート画像データに透明処理を施して表示している。このような仕組みを有することから、この撮影モードを、以下、「すかし撮影モード」と呼ぶ。
【００１３】
筐体１の背面には、図１（ｂ）に示すように、表示部７および各種操作ボタン等が設けられている。操作ボタンとしては、例えば、表示部７に画像データを表示（再生）させる操作を行う再生ボタン８、撮影設定メニュー画面等の表示や決定の操作を行うメニュー／ＯＫボタン９、画面上での上下左右の方向の指示を行う方向指示用ボタン１０、テンプレート画像の表示操作や絞り値等の変更操作を行うＡＤＪ．ボタン１１、画面の表示内容を変更する操作を行うＤＩＳＰ．ボタン１２などが設けられている。方向指示用ボタン１０は、上、下、左、右方向にそれぞれ指示を行う上ボタン１０ａ、下ボタン１０ｂ、左ボタン１０ｃ、右ボタン１０ｄから構成される。
【００１４】
表示部７は、液晶ディスプレイ等からなり、撮影前のモニタリング時のモニタリング画像データ、撮像された画像データ、記録媒体に記録された画像データに基づいた表示画像が表示される。
【００１５】
また、筐体１の底部側にはバッテリーやＳＤメモリカードなどのメモリカードの装着室が設けられている。また、撮像装置１００の内部には、フラッシュメモリ等の内臓メモリが収納され、プログラムや画像データを記録可能となっている。撮像装置１００の各部には、バッテリーから電力が供給され、それぞれの動作の実行が可能とされている。
【００１６】
また、撮像装置１００は、図２のブロック図に示すように、撮像手段としてのＣＣＤ（Charge Coupled Diode、電荷結合素子）２１と、サンプリング（ＣＤＳ）・アナログ／デジタル（Ａ／Ｄ）変換部（ＣＤＳ・Ａ／Ｄ変換部）２２と、ＤＳＰ（Digital Signal Processor）２３と、ビデオエンコーダ２４と、ビデオエンコーダ駆動用水晶発振子２４ａと記録媒体（記憶手段）としてのフレームバッファ２５と、タイミングジェネレータ（ＴＧ）２６と、垂直ドライバー（ＶＤr）２７と、制御手段としての中央演算装置（ＣＰＵ）２８と、ＣＰＵ駆動用水晶発振子２８ａと、クロックジェネレータ２９と、ＣＣＤ駆動用水晶発振子２９ａと、オーデオコーディック（Audio Codec）３０と、ＵＳＢドライバー３１と、などを備えている。これらは、バスラインを介して相互に接続されている。
【００１７】
ＣＰＵ２８は、ＲＯＭ等に予め記憶されている撮像プログラムに従って、ＲＡＭ等をワークメモリとして用いて、撮像装置１００全体の動作を制御し、各種機能を実現する。また、制御手段としてのＣＰＵ２８は、表示部７に画像を表示する表示手段、記録媒体からテンプレート画像とする画像データを選択する選択手段（テンプレート画像選択手段）、撮影を実行する撮影手段、さらには、すかし撮影を行う場合は、すかし撮影手段として機能する。また、ＣＰＵ２８は、制御回路や駆動手段等を介して撮影レンズ２、電源ボタン３、シャッタボタン４、モード切替ダイアル５、ストロボ６、表示部７、再生ボタン８、メニュー／ＯＫボタン９、方向指示用ボタン１０、ＡＤＪ．ボタン１１、ＤＩＳＰ．ボタン１２等と接続され、これらを制御するとともに、各種ボタンやダイアル等を操作して入力される指示にしたがって各種処理を実行する。
【００１８】
本実施例では、記録媒体としてＳＤメモリカードや内蔵メモリを用いているが、これに限定されることはなく、他のメモリカードやメモリスティック、ＵＳＢを介して接続したＨＤＤなどを記録媒体として用いることもできる。また、固体撮像素子は、ＣＣＤ２１に限定されることはなく、例えば、ＣＭＯＳなどを用いることもできる。
【００１９】
上述のような構成の撮像装置１００では、被写体から撮影レンズ２を介してＣＣＤ２１で受光した光は、該ＣＣＤ２１により光電変換されてＣＤＳ・Ａ／Ｄ変換部２２に送られる。ＣＤＳ・Ａ／Ｄ変換部２２は、ＣＣＤ２１の出力信号を相関２重サンプリングによってノイズ成分を除去しながらサンプリングし、逐次１０ビットのデータにＡ／Ｄ変換してＤＳＰ２３へ送る。
【００２０】
ＤＳＰ２３は、ＣＤＳ・Ａ／Ｄ変換部２２から送られてきた信号に対して、補間、アパーチャ強調、ホワイトバランス処理などの処理を行い、更に輝度信号Ｙ及び色差信号Ｃｂ、Ｃｒに変換してフレームバッファ２５に一時的に保存する。この動作がモニタリング中繰返されるとともに、フレームバッファ２５に蓄えられたデータが、ＤＳＰ２３内のビデオエンコーダ２４に逐次読み出され、該ビデオエンコーダ２４によりビデオ信号に変換された後に、上述した表示部７や外部のテレビジョン受像機等の表示装置３２に出力される。
【００２１】
ＣＣＤ２１は、ＴＧ２６からＣＣＤ２１へ出力される水平駆動パルスと、ＶＤr２７からＣＣＤ２１へ出力される垂直駆動パルスおよび電子シャッタパルスとにより駆動される。ＣＰＵ２８は、電子シャッタパルスによりＴＧ２６やＣＤＳ・Ａ／Ｄ変換部２２、クロックジェネレータ２９を制御する。このようなＣＰＵ２８の制御により、ＴＧ２６はＶＤr２７に対してＣＣＤ２１用の垂直駆動パルスを出力するとともに、ＣＤＳ・Ａ／Ｄ変換部２２に対してクロックを出力する。
【００２２】
ＴＧ２６の源信は、クロックジェネレータ２９から出力されるＣＣＤ駆動用パルスである。このＣＣＤ駆動用パルスは、ＴＧ２６内の分周器２６ａで分周されてＤＳＰ２３に送られる。一方、ＤＳＰ２３は、ＴＧ２６からのＣＣＤ駆動用パルスをカウントするカウンタが内蔵されている。ＤＳＰ２３は、このカウンタのカウント数が所定のカウント数に達した際に、ＴＧ２６に対して水平リセット信号、垂直リセット信号等を出力する。
【００２３】
ここで、ＣＣＤ駆動用パルスはクロックジェネレータ２９から出力される。これはクロックジェネレータ２９に取りつけられたＣＣＤ駆動用水晶発振子２９ａの発振周波数のクロックを分周する回路を、クロックジェネレータ２９内部に比較的簡単に内蔵できるからである。このようにＣＣＤ駆動用パルスを分周することにより、モニタリングの低消費電力化などが可能になる。
【００２４】
本実施例では、クロックジェネレータ２９は、源信（ＣＣＤ駆動用水晶発振子２９ａを用いた水晶発振回路で発生したクロック）と、これを分周器で２分周したクロックとをＣＣＤ駆動用パルス１または２として選択的に出力する。もちろん、ＣＣＤ駆動用水晶発振子２９ａを用いた水晶発振回路で発生したクロックを分周する分周器は、複数段用意してもよい。しかし、ここでは説明の簡略化と、ＣＣＤ駆動用パルスを遅くすれば（低周波数化すれば）するほどモニタリングのフレームの更新スピードも遅くなってしまうことから、現実性を考えてクロックを２分周する分周器とした。
【００２５】
実際にＣＣＤ駆動用パルスを分周することによって得られる低消費電力化の効果として顕著なものはＴＧ２６の内部のロジック系の低消費電力化、ＣＣＤ２１の水平、垂直駆動出力用バッファの低消費電力化である。およそＣＣＤ駆動用パルスを２分周する場合であれば、消費電力が半分になるというように、ＣＣＤ駆動用パルスを分周する分周器の分周比に比例する。この他、上述のブロック（ロジック系、ＣＣＤ２１の水平、垂直駆動出力用バッファ）ほどの効果はないものの、ＣＤＳ・Ａ／Ｄ変換部２２の消費電力も減少する。
【００２６】
また、本実施例では、モニタリングのフレームの更新スピードを任意に設定するクロックジェネレータ２９を有している。ＣＰＵ２８は、クロックジェネレータ２９を制御して、該クロックジェネレータ２９からＴＧ２６へのクロック（ＣＣＤ駆動用パルス）の周波数を変える。このため、モニタリングのフレームの更新スピードが遅くて追従性が悪くなる場合には、任意のモニタリングのフレームの更新スピードを決定することができる。
【００２７】
次に、図３を用いて、上記ＤＳＰ２３の具体的構成の一例を説明する。ＤＳＰ２３は、図３に示すように、ＣＤＳ・Ａ／Ｄ変換部２２から入力したデジタル画像データ（以下、「画像データ」という）をＲ・Ｇ・Ｂの各色成分に分離する色分離部２３０１と、分離されたＲ・Ｇ・Ｂの各画像データを補間する信号補間部２３０２と、Ｒ・Ｇ・Ｂの各画像データの黒レベルを調整するペデスタル調整部２３０３と、Ｒ、Ｂの各画像データの白レベルを調整するホワイトバランス調整部２３０４と、上述したＣＰＵ２８により設定されたゲインでＲ・Ｇ・Ｂの各画像データを補正するデジタルゲイン調整部２３０５と、Ｒ・Ｇ・Ｂの各画像データのγ変換を行うガンマ変換部２３０６と、Ｒ・Ｇ・Ｂの画像データを色差信号（Ｃｂ、Ｃｒ）と輝度信号（Ｙ）とに分離するマトリクス部２３０７と、色差信号（Ｃｂ、Ｃｒ）と輝度信号（Ｙ）とに基づいてビデオ信号を作成し、上述した表示部７や表示装置３２に出力するビデオ信号処理部２３０８と、を備えている。
【００２８】
更に、ＤＳＰ２３は、上述したペデスタル調整部２３０３によるペデスタル調整後の画像データの輝度データ（Ｙ）を検出するＹ演算部２３０９と、該Ｙ演算部２３０９で検出した輝度データ（Ｙ）の所定周波数成分のみを通過させるバンドパスフィルタ（ＢＰＦ）２３１０と、該ＢＰＦ２３１０を通過した輝度データ（Ｙ）の積分値をＡＦ評価値としてＣＰＵ２８に出力するＡＦ評価値回路２３１１と、上述したＹ演算部２３０９で検出した輝度データ（Ｙ）に応じたデジタルカウント値をＡＥ評価値としてＣＰＵ２８に出力するＡＥ評価値回路２３１２と、上述したホワイトバランス調整部２３０４による調整後のＲ・Ｇ・Ｂの各画像データの輝度データ（Ｙ）を検出するＹ演算部２３１３と、該Ｙ演算部２３１３で検出した各色の輝度データ（Ｙ）をそれぞれカウントして各色のＡＷＢ評価値としてＣＰＵ２８に出力するＡＷＢ評価値回路２３１４と、ＣＰＵ２８とのインターフェースであるＣＰＵ  Ｉ／Ｆ２３１５と、等を備えている。
【００２９】
ＣＣＤ２１を使用して合焦位置を検出する場合をＣＣＤ−ＡＦ（内部ＡＦ）という。ＣＣＤ−ＡＦでは、フォーカスレンズ系を移動して、ＣＣＤ２１から出力される画像信号に応じた被写体のコントラストを示すＡＦ評価値をサンプリングし、ＡＦ評価値のピーク位置を合焦位置とする山登りサーボ方式を使用する。
【００３０】
上述のような構成の撮像装置１００では、シャッタボタン４に押下操作がなされたことを認識すると、撮影手段による撮影処理が開始され、撮影レンズ２を通してＣＣＤ２１の受光面で受光した被写体像の画像データをＳＤメモリカードや内蔵メモリ等の記録媒体に記録処理する。また、撮像装置１００では、表示手段として機能するＣＰＵ２８の制御下で、記録処理した画像データに基づく画像を表示部７に適宜表示させることができる。また、ＣＰＵ２８は、モード切替ダイアル５の回転姿勢に応じた信号に応じて、各種の撮影モードの切り替えを実行する。
【００３１】
以下、本実施例の撮像装置１００において、撮影モードをシーンモードに切替え、該シーンモードの「すかし撮影モード」を実行する際の動作（撮像方法）を、図面を参照しながら説明する。
【００３２】
実施例１では、「すかし撮影モード」での撮影処理を行うにあたり、まず、モニタリング画像と重ね合わせて表示するテンプレート画像を選択する「テンプレート画像選択処理」を実行する。その後、テンプレート画像とモニタリング画像データとを重ね合わせて表示部７に表示し被写体の撮影を行う撮影処理（以下、「すかし撮影処理」と呼ぶ）を実行する。
【００３３】
まず、テンプレート画像選択処理について、図４のフローチャートに基づき説明する。また、この説明において、図６に示す画面遷移図を参照しながら操作の流れと表示部７に表示される画像の流れについて併せて説明する。この場合、ＣＰＵ２８がテンプレート画像選択手段として機能し、テンプレート画像選択処理を実行する。
【００３４】
メニュー／ＯＫボタン９の操作により、撮影設定メニューの表示指示が行われると、表示手段としてのＣＰＵ２８が、液晶ディスプレイ等の表示部７に、図６に示すような撮影設定メニュー画面１０１を表示する（Ｓ１１）。
【００３５】
この撮影設定メニュー画面１０１で、「テンプレート」が選択されると（ステップＳ１２の判定がＹＥＳ）、テンプレート画像選択手段によるテンプレート画像選択処理が開始される。テンプレート画像選択処理では、「撮影画像」および「撮影済み画像」の項目が表示された選択画面１０２，１０３を表示する（ステップＳ１３）。具体的には、撮影設定メニュー画面１０１において、ユーザが方向指示用ボタン１０の上ボタン１０ａまたは下ボタン１０ｂを操作して、カーソルを「テンプレート」に合わせた後、右ボタン１０ｄを操作することで、「テンプレート」が選択される。一方、上記操作が行われず「テンプレート」が選択されない場合（ステップＳ１２＝ＮＯ）、テンプレート画像選択処理を終了する。
【００３６】
選択画面１０２は、「撮影画像」の選択画面であり、選択画面１０３は、「撮影済み画像」の選択画面である。ユーザは、上ボタン１０ａまたは下ボタン１０ｂの操作により、テンプレート画像の選択に際して、「撮影画像」および「撮影済み画像」の２つの項目を選択することができる。この上ボタン１０ａまたは下ボタン１０ｂの操作に応じて、テンプレート画像選択処理は、「撮影画像」の選択画面１０２と、「撮影済み画像」の選択画面１０３とを交互に切替えて表示する。
【００３７】
次に、「撮影済み画像」が選択されたか、「撮影画像」が選択されたか判定する（ステップＳ１４）。具体的には、選択画面１０３において、右ボタン１０ｄが操作されたときに、「撮影済み画像」が選択されたと判定し、選択画面１０２において、右ボタン１０ｄが操作されたときに、「撮影画像」が選択されたと判定する。
【００３８】
「撮影済み画像」が選択された場合（ステップＳ１４の判定＝ＹＥＳ）、ステップＳ１５に進む。一方、「撮影画像」が選択された場合（ステップＳ１４の判定＝ＮＯ）、これから撮影する画像をテンプレート画像とするため、テンプレート画像の選択は行わず、撮影設定メニュー画面１０１に戻って、テンプレート画像選択処理を終了する。
【００３９】
上記ステップＳ１４で、「撮影済み画像」が選択された場合、ステップＳ１５では、ＳＤメモリカードや内蔵メモリ等の記録媒体に記録済みの画像データがあるか否か判定する。画像データがある場合（ステップＳ１５の判定＝ＹＥＳ）、記録媒体から記録済みの画像データを読み出し、これらの画像データに対応した縮小画像を、２０画像ずつ表示した画像選択画面１０４を表示する（ステップＳ１６）。ユーザは、方向指示用ボタン１０（１０ａ〜１０ｄ）を上下左右方向に操作することで、選択画像を切替えて、画像一覧の中からテンプレート画像としたい画像を選択することができる。
【００４０】
一方、記録済みの画像データファイルが１枚もなければ（ステップＳ１５の判定＝ＮＯ）、表示部７に「ファイルがありません」のエラー画面１０６を表示する（ステップＳ１７）。このエラー画面１０６において、ユーザによりメニュー／ＯＫボタン９が操作されると、選択画面１０３を表示し、テンプレート画像選択処理を終了する。この場合、ユーザは処理を中止するか、上ボタン１０ａの操作により「撮影画像」の選択画面１０２に戻って、「撮影画像」をテンプレート画像として使用するように設定することができる。
【００４１】
上記ステップＳ１６で表示された画像選択画面１０４において、ユーザは所定の画像にカーソルを合わせた状態で、メニュー／ＯＫボタン９を操作することで、当該画像をテンプレート画像として選択することができる。この操作により、テンプレート画像が選択されると（ステップＳ１８の判定＝ＹＥＳ）、選択された画像の画像データを、テンプレート画像データとして、ＲＡＭ等に確保された記録領域（「テンプレート画像メモリ」と呼ぶ）に転送（ロード）し（ステップＳ１９）、撮影設定メニュー画面１０１に戻り、テンプレート画像選択処理を終了する。
【００４２】
なお、上記画像データの転送が終了すると、選択画面１０３に戻る。この選択画面１０３において、方向指示用ボタン１０の操作により、ユーザは、テンプレート画像の選択をやり直すこともできるし、「撮影画像」の選択画面１０２や撮影設定メニュー画面１０１に戻り、各画面での再操作を行うこともできる。
【００４３】
一方、画像選択画面１０４の所定の画像上で、メニュー／ＯＫボタン９の操作によるテンプレート画像の選択がされず（ステップＳ１８の判定＝ＮＯ）、ＡＤＪ．ボタン１１の操作が行われた場合を説明する。この操作により、詳細表示の指示があったとして（ステップＳ２０の判定＝ＹＥＳ）、当該画像の１枚画像（再生画像１０５）を表示（再生）する（ステップＳ２１）。これにより、ユーザは、当該画像の詳細を確認することもできる。その後、テンプレート画像データとして、テンプレート画像メモリに転送し（ステップＳ１９）、テンプレート画像選択処理を終了する。なお、詳細表示の指示もなかった場合（ステップＳ２０の判定＝ＮＯ）、テンプレート画像選択処理を終了する。
【００４４】
次に、すかし撮影モードでのすかし撮影処理について、図５Ａ、図５Ｂのフローチャートに基づき説明する。また、この説明において、図７に示す遷移図を参照しながら、ユーザによる操作の流れと表示部７に表示される画像の流れについて併せて説明する。この場合、ＣＰＵ２８がすかし撮影手段として機能し、すかし撮影処理を実行する。
【００４５】
すかし撮影を行うため、図７に２０１で示すように、ユーザがモード切替ダイアル５を「ＳＣＥＮＥ」（シーンモード）に切り替えると、表示手段は、シーンモード選択画面２０２を表示する。このシーンモード選択画面２０２で、すかし撮影モードが選択されると、シーンモード選択画面２０２に「テンプレート画像を透かして表示します」のメッセージを表示する。ユーザによりメニュー／ＯＫボタン９が操作されると、すかし撮影手段により、すかし撮影処理が開始される。
【００４６】
まず、図５Ａのフローチャートを用いて、先のテンプレート画像選択処理で「撮影済み画像」が選択されている場合の処理を説明する。この図５Ａに示すように、撮影済み画像」が選択されている場合、すかし撮影処理では、テンプレート画像メモリに記録されたテンプレート画像データを、ＲＡＭ等に確保された記憶領域（「表示メモリＡ」と呼ぶ）に転送する（ステップＳ３１）。次に、表示メモリＡに所定の透明ピクセルを設定し（ステップＳ３２）、表示メモリＢのモニタリング画像を透過で表示できるようにする。この透過表示のための手法は、一般的な表示装置の重ね合わせ表示の手法を用いることができるため、詳細は省略する。
【００４７】
次にＣＣＤ２１で取り込んだ被写体像（以下、「モニタリング画像」と呼ぶ）のデータを、表示メモリＢに転送する（ステップＳ３３）。そして、図７に示すように、表示メモリＡのテンプレート画像と表示メモリＢのモニタリング画像とを重ねあわせた画像２０５を表示部７に表示する（ステップＳ３４）。この画像２０５の上方には、「すかし撮影」の実行中であること示す「すかしアイコンＩ」が表示される。
【００４８】
この画像２０５において、実線で示される画像がモニタリング画像であり、点線で示される画像がテンプレート画像（すかし画像）である。この表示により、ユーザは、モニタリング画像とテンプレート画像とを容易に比較することができる。そのため、テンプレート画像とモニタリング画像との位置合わせを行って、モニタリング画像の撮影時と同じアングルに設定することなどが可能となる。
【００４９】
なお、モニタリング画像は、ＣＣＤ２１により周期的に取得され、モニタリング画像データの転送が行われる。そのため、撮影操作が実行されない間（ステップＳ３５の判断＝ＮＯ）、新規のモニタリング画像の取得が行われるごとに（ステップＳ３６の判断＝ＹＥＳ）、ステップＳ３３とステップＳ３４とを繰り返し、表示部７に表示されるモニタリング画像の更新を行う。一般的な３３ｍｓｅｃ周期でモニタリング画像の取得が行われると、３０ｆｐｓの転送速度となる。
【００５０】
ユーザがシャッタボタン４を押下操作して撮影が行われると（ステップＳ３５の判断＝ＹＥＳ）、モニタリングのループ処理から抜けて、撮影後の処理に移行する。この処理では、ＣＣＤ２１の露光が完了後に静止画像の画像データを取り込む（ステップＳ３７）。取り込んだ画像データを、ＪＰＥＧ圧縮してＥｘｉｆ形式のファイルを生成し、画像データファイルとして記録媒体に記録する（ステップＳ３８）。
【００５１】
この記録の際には、静止画画像とテンプレート画像との合成などは行われない。テンプレート画像は、モニタリングでの重ね合わせ表示にのみ使用され、静止画の画像ファイルには反映されることはない。
【００５２】
以上のように、一連の撮像処理が行われるが、ユーザによりすかし撮影の終了操作がされるまで、ステップＳ３１〜ステップ３８の処理が繰り返される。
【００５３】
次に、図５Ｂのフローチャートを用いて、テンプレート画像選択処理で「撮影画像」が選択されている場合の処理を説明する。この図５Ｂに示すように、「撮影画像」が選択されている場合、ＣＣＤ２１によりＲＡＭ等に確保された記憶領域（「表示メモリＢ」と呼ぶ）へ、モニタリング画像のデータを転送する（ステップＳ４１）。次に、表示メモリＡのテンプレート画像と表示メモリＢのモニタリング画像とを重ねあわせた画像２０５を表示部７に表示する。このとき、一度も撮影が行われていない場合は、表示メモリＡに画像データが設定されていないため、表示メモリＡの初期値を全て透明にしておく。これにより、画像重ね合わせた表示が行われても、通常のモニタリング画像の表示と同じ結果になる。すなわち、図７に示すように、モニタリング画像を表す画像２０３のみが表示部７に表示される。この画像２０３の上方にも、すかし撮影中を示す「すかしアイコンＩ」が表示される。
【００５４】
また、上述の「撮影済み画像」選択時と同様に、撮影操作が実行されない間（ステップＳ４３の判断＝ＮＯ）、新規のモニタリング画像の取得が行われるごとに（ステップＳ４４の判断＝ＹＥＳ）、ステップＳ４１とステップＳ４２とを実行し、表示部７に表示されるモニタリング画像の更新を行う。
【００５５】
ユーザがシャッタボタン４を押下操作して撮影が行われると（ステップＳ４３の判断＝ＹＥＳ）、モニタリングのループ処理から抜けて、撮影後の処理に移行する。この処理でも、露光完了後の静止画像の画像データ取り込み（ステップＳ４５）、画像データの圧縮と画像ファイルの作成および記録媒体への記録（ステップＳ４６）を実行する。この場合も、テンプレート画像が合成されて記録されることはない。また、ステップＳ４６では、撮影した画像データのテンプレート画像メモリへの記録も行う。
【００５６】
撮影完了後は、表示部７にモニタリング画像を表示するが、この撮影により、直前の撮影画像が存在する状態になる。したがって、この直前の撮影画像を、テンプレート画像とし、図７に示すように、モニタリング画像と重ね合わせた画像２０４を表示する。この画像３０４において実線で示される画像がモニタリング画像であり、点線で示される画像がテンプレート画像である。
【００５７】
そのための処理として、直前の撮影画像をテンプレート画像メモリから表示メモリＡに転送し（ステップＳ４７）、この表示メモリＡに対して透明ピクセルの設定を行う（ステップＳ４８）。その後、モニタリング画像のデータを、表示メモリＢに転送し（ステップＳ４９）、図７に示すように、テンプレート画像とモニタリング画像とを重ねあわせた画像２０４を表示部７に表示する（ステップＳ５０）。
【００５８】
以後は、ユーザは、このテンプレート画像を用いて、すかし撮影を行うことができる。この場合、ステップＳ４３〜Ｓ４８の処理を繰り返すことで、モニタリング画像とテンプレート画像とを重ね合わせた状態でのすかし撮影を繰り返し実行することができる。
【００５９】
以上、実施例１の撮像装置１００では、撮影済み画像または直前に撮影した画像からなるテンプレート画像と、モニタリング画像とを容易に比較することができる。そのため、同一のアングル等で複数の画像を時系列で撮影することができ、被写体像の時系列の評価を容易に行うことができる。より具体的には、一例として、建築現場で同一の背景で建築物の進捗状況を撮影したい場合、背景画像をテンプレート画像とすることで、同じアングルや距離で時系列に建築物を撮影することができる。そのため、進捗状況を容易に把握することができる。また、他の例として、リフォーム前とリフォーム後とを同一のアングルで撮影することができ、リフォーム前後の比較を容易に行うことができる。
【００６０】
また、テンプレート画像として「撮影画像」を選択した場合、直前に撮影した画像がテンプレート画像として表示されるので、フレームからはみ出していたり、目をつぶっていたりしていることが直ちに認識できる。そのため、このテンプレート画像とモニタリング画像とを比較しながら、フレームからはみ出ないように撮影し直したり、目をつぶらない状態で、同じアングルで撮影し直したりすることが、容易にできる。
【００６１】
なお、実施例１の撮像装置１００では、テンプレート画像を、「撮影画像」および「撮影済み画像」から選択できるようにしているが、本願が必ずしもこれに限定されることはない。記録媒体に記録された「撮影済み画像」からテンプレート画像を選択できれば、本願の目的を達成することができる。この場合、図５Ｂのフローチャートで示される処理が省略され、図６の選択画面１０２の表示も省略される。この構成では、撮像装置１００をより簡易にすることができる。
【００６２】
また、「撮影画像」をテンプレート画像とする場合、シャッタボタン４が押下操作され、すかし撮影を行った直後に、モード切替ダイアル５が操作されて撮影モードが変更された場合、すかし撮影モードを解除し、モニタリング画像のみを表示部７表示する。電源ＯＦＦされた場合は、テンプレート画像メモリのデータを削除（クリア）する。一方、電源ＯＦＦされておらず、再度すかし撮影モードが選択された場合は、直前に撮影された画像をテンプレート画像として、モニタリング画像と重ね合わせて表示する構成とすることができる。
【００６３】
また、すかし撮影を実行する場合、拡大機能を動作すると、アングルが変わるので、この拡大機能の動作中はすかし撮影モードを解除するように構成することが好ましい。なお、拡大機能が解除された場合に、すかし撮影モードに戻すにように構成することもできる。また、撮像装置１００が回転され、アングルが変わった場合でも、回転情報を無視して、正位置でテンプレート画像を表示する構成とすることもできる。この場合、ユーザは撮像装置１００を正位置に戻すことで、同じアングルでの撮影が可能となる。回転状態のまま撮影した場合でも、テンプレート画像は画像ファイルに反映されないので、通常の画像の撮影は行うことができる。
【００６４】
また、例えば、前回の撮影で「撮影済み画像」が選択されていた場合、今回の撮影ですかし撮影モードに遷移したときに、テンプレート画像メモリをチェックするようにしてもよい。データが存在する場合は、当該テンプレート画像を用いて表示部７への表示を行い、データが削除されていた場合、テンプレート画像の指定のない「撮影画像」のモードに遷移するようにすることもできる。
【実施例２】
【００６５】
次に、本発明の実施例２に係る撮像装置について説明する。実施例２の撮像装置は、透明度の設定手段を設けたこと以外は、実施例１の撮像装置１００と同一の基本構成を有しているため、詳細な説明は省略する。この場合、制御手段としてのＣＰＵ２８が透明度設定手段として機能し、透明度設定処理を実行する。
【００６６】
以下、透明度設定手段による透明度設定処理を、図８のフローチャートおよび図９の遷移図を参照しながら説明する。透明度設定処理は、すかし撮影処理を行う前に実行すればよく、テンプレート画像選択処理の前に実行しても後に実行してもよい。
【００６７】
メニュー／ＯＫボタン９の操作により、撮影設定メニューの表示指示が行われると、ＣＰＵ２８は、表示部７である液晶ディスプレイの表示部７に、図９に示すような撮影設定メニュー画面３０１を表示する（ステップＳ６１）。
【００６８】
この撮影設定メニュー画面３０１で、「透明度」が選択されると（ステップＳ６２の判定がＹＥＳ）、透明度設定手段による透明度設定処理が開始される。透明度設定処理では、図９に示すように、撮影設定メニュー画面に透明度の項目が表示された透明度設定画面（３０２〜３０５）を表示部７に表示する。具体的には、撮影設定メニュー画面３０１で、「透明度」にカーソルを合わせた後、右ボタン１０ｄを操作することで、「透明度」の設定が選択される。一方、上記操作が行われず「透明度」が選択されない場合（ステップＳ６２＝ＮＯ）、透明度設定処理を終了する。
【００６９】
ユーザが上ボタン１０ａおよび下ボタン１０ｂを操作することで、透明度を切替えることができる。透明度設定処理は、ユーザの操作に対応して、透明度設定画面３０２〜３０５を表示する。透明度としては、本実施例では「８０％」（透明度設定画面３０２）、「６０％」（透明度設定画面３０３）、「４０％」（透明度設定画面３０４）および「２０％」（透明度設定画面３０５）の４つの項目を選択することができる。これらの透明度設定画面３０２〜３０５のいずれかでメニュー／ＯＫボタン９が操作されると、透明度が決定される。透明度設定処理は、決定された透明度を、ＲＡＭ等に確保された記録領域（「透明度メモリ」と呼ぶ）に転送し（ステップＳ６５）、撮影設定メニュー画面３０１に戻り、透明度設定処理を終了する。
【００７０】
上記透明度設定処理後に、すかし撮影処理を実行する場合、図５Ａ、図５Ｂを用いて説明した実施例１のすかし撮影処理と同様の処理が行われる。ただし、ステップＳ３２、ステップＳ４８で、テンプレート画像の表示メモリＡへの透明ピクセルの設定の際に、透明度設定処理で設定され透明度メモリに記録された透明度が使用される。
【００７１】
以上、実施例２の撮像装置でも、撮影済み画像または直前に撮影した画像からなるテンプレート画像と、モニタリング画像とを容易に比較することができる。そのため、同一のアングル等で複数の画像を時系列で撮影することができ、被写体像の時系列の評価を容易に行うことができる。さらに、透明度を任意に設定できるので、モニタリング画像が、より視認し易くなる。したがって、撮影環境や被写体の色合い、撮影目的等に応じて、最適な透明度を選択することで、すかし撮影をより容易に行うことができる。
【実施例３】
【００７２】
次に、本発明の実施例３に係る撮像装置について説明する。実施例３の撮像装置は、テンプレート画像とモニタリング画像との重ね合わせ表示を取消すキャンセル操作手段（取消し手段）を設けたこと以外は、実施例１の撮像装置１００と同一の基本構成を有しているため、詳細な説明は省略する。この場合、制御手段としてのＣＰＵ２８が、キャンセル操作手段としても機能し、キャンセル操作処理（取消し処理）を実行する。
【００７３】
キャンセル操作手段は、ユーザによりシャッタボタン４の半押し操作があったときに、キャンセル操作があったとして、モニタリング画像とテンプレート画像との重ね合わせ表示を取消す（キャンセル操作処理）機能を有する。シャッタボタン４の半押し操作は、ユーザがオートフォーカス（ＡＦ）を実行するために行う操作であるが、この半押し操作の際に、ＡＦを実行するとともにキャンセル操作処理も実行する。
【００７４】
図１０は、実施例３のすかし撮影処理のフローチャートである。この図１０に示すように、実施例３のすかし撮影処理は、ステップＳ７４〜Ｓ７６のキャンセル操作処理を追加したこと以外は、図５Ａのフローチャートを用いて説明した実施例１のすかし撮影処理と同様の処理を行っている。そのため、実施例１と同様の処理については、詳細な説明を省略する。
【００７５】
実施例３では、テンプレート画像として「撮影済み画像」が選択またはプログラムに予め設定されている。図１０に示すように、実施例３のすかし撮影処理では、実施例１と同様に、テンプレート画像メモリから表示メモリＡへのテンプレート画像データの転送（ステップＳ７１）、表示メモリＡへの所定の透明ピクセルの設定（ステップＳ７２）を行う。次いで、モニタリング画像データの表示メモリＢへの転送（ステップＳ７３）を行う。
【００７６】
次に、シャッタボタン４の半押し操作が行われていない間は（ステップＳ７４の判断＝ＮＯ）、表示メモリＡのテンプレート画像と表示メモリＢのモニタリング画像とを重ねあわせた画像を表示部７に表示する（ステップＳ７５）。これにより、重ね合わせのすかし撮影モードでの表示状態となる。一方、シャッタボタン４の半押し操作が行われたとき（ステップＳ７４の判断＝ＹＥＳ）、テンプレート画像の表示を取消し、表示メモリＢのモニタリング画像のみを表示部７に表示する（ステップＳ７６）。これにより、重ね合わせの画像表示が中止され、通常のモニタリング画像の表示状態となる。
【００７７】
その後の処理は、実施例１と同様であり、シャッタボタン４を押下操作が実行されるまでは、モニタリング画像の更新を行う（ステップＳ７７、Ｓ７８）。そして、シャッタボタン４の押下操作により撮影操作が行われると、露光後の静止画像の画像データを取り込み（ステップＳ７９）、取り込んだ画像データを、ＪＰＥＧ圧縮してＥｘｉｆ形式のファイルを生成し、画像データファイルとして記録媒体に記録する（ステップＳ８０）。
【００７８】
以上、実施例３の撮像装置でも、撮影済み画像または直前に撮影した画像からなるテンプレート画像と、モニタリング画像とを容易に比較することができる。そのため、同一のアングル等で複数の画像を時系列で撮影することができ、被写体像の時系列の評価を容易に行うことができる。さらに、シャッタボタン４の半押しの操作で、重ね合わせ表示が取消されてモニタリング画像のみが表示されるので、ピント合わせ等を容易に確認することができる。
【００７９】
また、実施例３では、テンプレート画像として「撮影済み画像」を選択または予め設定されている場合を説明した。しかし、実施例３の撮像装置でも、テンプレート画像として「撮影済み画像」と「撮影画像」とを選択できるように構成することもできる。この場合、実施例１と同様の処理により「撮影済み画像」と「撮影画像」とを選択することができる。また、「撮影画像」を選択した場合のすかし撮影処理も、図５Ｂのフローチャートを用いて説明した実施例１のすかし撮影処理と基本的な処理は同一であり、実施例１の処理に、キャンセル操作処理を追加したものとなる。
【００８０】
また、実施例３の撮像装置にも、透明度設定手段を設けて透明度設定処理を行うように構成することもできる。
【００８１】
以上、本発明の実施例を図面により詳述してきたが、上記実施例は本発明の例示にしか過ぎないものであり、本発明は上記各実施例の構成にのみ限定されるものではない。本発明の要旨を逸脱しない範囲の設計の変更等があっても、本発明に含まれる。
【符号の説明】
【００８２】
７  表示部    ２１  ＣＣＤ（撮像手段）
２８  ＣＰＵ（表示手段、選択手段、透明度設定手段、取消し手段）
１００  撮像装置
【先行技術文献】
【特許文献】
【００８３】
【特許文献１】特許第４０５９２４１号
【図１】
2016046676.tif 000003
【図２】
2016046676.tif 000004
【図３】
2016046676.tif 000005
【図４】
2016046676.tif 000006
【図５Ａ】
2016046676.tif 000007
【図５Ｂ】
2016046676.tif 000008
【図６】
2016046676.tif 000009
【図７】
2016046676.tif 000010
【図８】
2016046676.tif 000011
【図９】
2016046676.tif 000012
【図１０】
2016046676.tif 000013